(57)【要約】【課題】道路トンネル用の天井面研掃装置の要部を保持したまま、その他の種々のボックスカルバート型のトンネルにも適用可能なように、設計の自由度を向上させることが可能なトンネル天井面研掃装置を提供する。【解決手段】トンネル５０内を移動可能なベースフレーム部１１と、その上面部に取り付けられた移動レール部１８に沿って、トンネル５０の延設方向とこれに直交する横幅方向に移動可能な乾式研掃機３０と、制御盤２０とを含んでおり、制御盤２０と、乾式研掃機３０及び移動レール部１８に設けられた子中継器２５とを、両端部にコネクター２３を備えるコントロールケーブル２２を介して中継する複数の接続口を備えた親中継器２１に各々接続することにより、制御盤２０に接続された手元コントローラ２４によって、乾式研掃機３０及び移動レール部１８を制御している。【選択図】図１
2020159062.tif 000002
【特許請求の範囲】
【請求項１】
ボックスカルバート型のトンネルの天井面を、乾式研掃機を用いて研掃するためのトンネル天井面研掃装置であって、
前記トンネル内を移動可能なベースフレーム部と、該ベースフレーム部の上面部に取り付けられた移動レール部に沿って、前記トンネルの延設方向とこれに直交する横幅方向に移動可能な前記乾式研掃機と、少なくとも前記乾式研掃機の駆動、及び前記移動レール部に沿った前記乾式研掃機の移動を制御する制御盤とを含んで構成されており、
前記制御盤と、前記乾式研掃機及び前記移動レール部との間に介在して、前記制御盤と接続された、複数の接続口を備える親中継器が設けられており、両側の端部にコネクターを備えるコントロールケーブルを介して、前記親中継器と、前記乾式研掃機及び前記移動レール部に設けられた子中継器とを各々接続することにより、前記制御盤に接続された手元コントローラによって、前記乾式研掃機の駆動及び移動を制御可能としているトンネル天井面研掃装置。
【請求項２】
前記ベースフレーム部は、ベース部に支持させて、昇降装置により昇降可能に設けられた昇降フレーム部を備えており、両側の端部にコネクターを備えるコントロールケーブルを介して前記親中継器と前記昇降装置とを接続することにより、前記制御盤に接続された手元コントローラによって、前記昇降装置による昇降フレーム部の昇降を制御可能としている請求項１記載のトンネル天井面研掃装置。
【請求項３】
前記ベースフレーム部は、矩形の平面形状を備えており、前記移動レール部は、短辺方向移動レール部材及び長辺方向移動レール部材からなり、前記乾式研掃機は、前記ベースフレーム部の矩形の平面形状の長辺方向及び短辺方向に移動可能に設けられている請求項１又は２記載のトンネル天井面研掃装置。
【請求項４】
前記手元コントローラは、前記親中継器を介して前記制御盤に接続されている請求項１〜３のいずれか１項記載のトンネル天井面研掃装置。
【請求項５】
前記ベースフレーム部は、前記トンネルの底面部に敷設されたレール部に沿って、前記トンネルの延設方向に移動するようになっている請求項１〜４のいずれか１項記載のトンネル天井面研掃装置。
【請求項６】
前記ベースフレーム部又は前記ベースフレーム部を搭載した移動台車に連結されて、補助台車が設けられており、前記制御盤は前記補助台車に設置されていると共に、前記親中継器は、前記ベースフレーム部又は前記移動台車に設置されている請求項５記載のトンネル天井面研掃装置。
【発明の詳細な説明】
【技術分野】
【０００１】
本発明は、トンネル天井面研掃装置に関し、特に、ボックスカルバート型のトンネルの天井面を、乾式研掃機を用いて研掃するためのトンネル天井面研掃装置に関する。
【背景技術】
【０００２】
例えば、首都高速道路等の道路や、地下鉄等の鉄道路線や、放流渠等の排水施設などにおいては、ボックスカルバート型のトンネルが多数構築されており、そのうちの多くが、供用開始から３０年以上経過している。このため、古くなったボックスカルバート型のトンネルに対して、コンクリート片の剥落防止等を含む種々の補修工事が行なわれている。ボックスカルバート型のトンネルの補修工事として、例えばトンネルの内壁面の研掃による表面処理作業（下地調整工）を行なう場合、このようなボックスカルバート型のトンネルの内壁面の研掃による表面処理作業は、例えば公知の研掃装置を使用して、人手によってトンネルの内壁面を研掃しようとすると、特にトンネルの天井面については、上を向いたままの作業になるため苦渋作業になるばかりか、多くの労力を必要として、効率良く作業を行うことは困難である。
【０００３】
このようなことから、本願出願人は、例えばボックスカルバート型の道路トンネルの天井面に対して、スピーディーに且つ効率良く研掃してゆくことを可能にするトンネル天井面研掃装置を開発している（例えば、特許文献１、特許文献２参照）。特許文献１の研掃装置や特許文献２の研掃方法によれば、トンネル天井面研掃装置は、アウトリガー部、架台部、乾式研掃機、乾式研掃機の移動レール部等を備えており、運搬車両の荷台に積み込まれて、運搬車両によってトンネルの天井面の研掃箇所の真下まで、適宜移動されるようになっている。また天井面の研掃箇所では、アウトリガー部により架台部が水平となるように調整した後に、架台部の上部に設置された移動レール部が天井面と平行に配置されるように調整し、乾式研掃機を移動レール部に沿って前後左右に移動させながら、天井面を研掃するようになっている。
【０００４】
また、特許文献１の研掃装置によれば、道路トンネル用のボックスカルバート型のトンネルの天井面を効率良く研掃してゆくものとして、その用途が道路トンネルに限られていることから、アウトリガー部、架台部、乾式研掃機、移動レール部等を駆動する駆動機構と、これらの駆動を制御するコントロール系統を集約した制御盤とを、例えばワンタッチ継手やカムロックやコネクター等の接続手段を介して、ひとまとめしたケーブルによって直接接続して、例えば手元スイッチによって、これらの駆動機構を制御するようになっている。
【先行技術文献】
【特許文献】
【０００５】
【特許文献１】特開２０１７−４０１０３号公報
【特許文献２】特開２０１７−４０１０４号公報
【発明の概要】
【発明が解決しようとする課題】
【０００６】
一方、近年、上述の特許文献１のボックスカルバート型の道路トンネル用の天井面研掃装置を改良して、道路トンネル以外の、例えば鉄道トンネルや、放流渠等を構成するその他の種々のボックスカルバート型のトンネルに対しても、道路トンネル用の天井面研掃装置の主要部分の構成を備える研掃装置を用いることにより、天井面の研掃作業の自動化を図ることで、効率良く道路トンネル以外のトンネルの天井面を研掃できるようにすることが検討されている。また、このような天井面研掃装置を、様々な種類や形状のボックスカルバート型のトンネルに適用できるようにするためには、ボックスカルバート型のトンネルの大きさや形状、使用目的等に応じて、乾式研掃機や移動レール部等を、異なる規格の駆動機構によるものと入れ替えたり、架台を昇降させる昇降装置の要・不要を判断したり、その他の必要な装置を新たに加えたりするなど、設計の自由度を増す必要がある。
【０００７】
しかしながら、上述の従来の天井面研掃装置では、ボックスカルバート型の道路トンネルの天井面の研掃作業にその用途が限定されていたため、設計の自由度が低く、その他の様々な種類や形状のボックスカルバート型のトンネルにも適用できるようするには、大掛かりな改良が必要になる。このようなことから、上述の従来の道路トンネル用の天井面研掃装置の主要部分の構成を保持したまま、その他の様々な種類や形状のボックスカルバート型のトンネルにも適用できるように、設計の自由度を向上させた天井面研掃装置を新たに開発することが望まれている。
【０００８】
本発明は、道路トンネル用の天井面研掃装置の主要部分の構成を保持したまま、その他の様々な種類や形状のボックスカルバート型のトンネルにも適用可能なように、設計の自由度を向上させることのできる天井面研掃装置を提供することを目的とする。
【課題を解決するための手段】
【０００９】
本発明は、ボックスカルバート型のトンネルの天井面を、乾式研掃機を用いて研掃するためのトンネル天井面研掃装置であって、前記トンネル内を移動可能なベースフレーム部と、該ベースフレーム部の上面部に取り付けられた移動レール部に沿って、前記トンネルの延設方向とこれに直交する横幅方向に移動可能な前記乾式研掃機と、少なくとも前記乾式研掃機の駆動、及び前記移動レール部に沿った前記乾式研掃機の移動を制御する制御盤とを含んで構成されており、前記制御盤と、前記乾式研掃機及び前記移動レール部との間に介在して、前記制御盤と接続された、複数の接続口を備える親中継器が設けられており、両側の端部にコネクターを備えるコントロールケーブルを介して、前記親中継器と、前記乾式研掃機及び前記移動レール部に設けられた子中継器とを各々接続することにより、前記制御盤に接続された手元コントローラによって、前記乾式研掃機の駆動及び移動を制御可能としているトンネル天井面研掃装置を提供することにより、上記目的を達成したものである。
【００１０】
そして、本発明のトンネル天井面研掃装置は、前記ベースフレーム部が、ベース部に支持させて、昇降装置により昇降可能に設けられた昇降フレーム部を備えており、両側の端部にコネクターを備えるコントロールケーブルを介して前記親中継器と前記昇降装置とを接続することにより、前記制御盤に接続された手元コントローラによって、前記昇降装置による昇降フレーム部の昇降を制御可能としていることが好ましい。
【００１１】
また、本発明のトンネル天井面研掃装置は、前記ベースフレーム部が、矩形の平面形状を備えており、前記移動レール部は、短辺方向移動レール部材及び長辺方向移動レール部材からなり、前記乾式研掃機は、前記ベースフレーム部の矩形の平面形状の長辺方向及び短辺方向に移動可能に設けられていることが好ましい。
【００１２】
さらに、本発明のトンネル天井面研掃装置は、前記手元コントローラが、前記親中継器を介して前記制御盤に接続されていることが好ましい。
【００１３】
さらにまた、本発明のトンネル天井面研掃装置は、前記ベースフレーム部が、前記トンネルの底面部に敷設されたレール部に沿って、前記トンネルの延設方向に移動するようになっていることが好ましい。
【００１４】
また、本発明のトンネル天井面研掃装置は、前記ベースフレーム部又は前記ベースフレーム部を搭載した移動台車に連結されて、補助台車が設けられており、前記制御盤は前記補助台車に設置されていると共に、前記親中継器は、前記ベースフレーム部又は前記移動台車に設置されていることが好ましい。
【発明の効果】
【００１５】
本発明のトンネル天井面研掃装置によれば、道路トンネル用の天井面研掃装置の要部を保持したまま、その他の種々のボックスカルバート型のトンネルにも適用可能なように、設計の自由度を向上させることができる。
【図面の簡単な説明】
【００１６】
【図１】本発明の好ましい第１実施形態に係るトンネル天井面研掃装置を説明する略示側面図である。
【図２】本発明の好ましい第１一実施形態に係るトンネル天井面研掃装置を説明する略示平面図である。
【図３】乾式研掃機の（ａ）は側面図、（ｂ）は後面図、（ｃ）は平面図である。
【図４】本発明の好ましい第２実施形態に係るトンネル天井面研掃装置を説明する略示側面図である。
【発明を実施するための形態】
【００１７】
図１及び図２に示す本発明の好ましい第１実施形態に係るトンネル天井面研掃装置１０は、ボックスカルバート型のトンネル５０として、例えば排水施設である放流渠の天井面５３を効率良く研掃してゆくための装置として採用されたのである。本第１実施形態では、例えば放流渠となっているボックスカルバート型のトンネル５０は、供用開始から３０年以上経過しており、補修工事として、トンネル５０の内壁面の研掃による表面処理作業（下地調整工）を行なう際に、特にトンネル５０の天井面５３については、公知の研掃装置を使用して人手によって行おうとすると、上を向いたままの作業になるため苦渋作業になるばかりか、多くの労力を必要とすることから、特開２０１７−４０１０３号公報に記載の道路トンネル用の天井面研掃装置に対して、放流渠となっているボックスカルバート型のトンネル５０の研掃作業に適するように、適宜改良を加えた新たなトンネル天井面研掃装置１０を用いることにより、ボックスカルバート型のトンネル５０である放流渠の天井面５３を、効率良く研掃してゆくことができるようにしている。
【００１８】
また、本第１実施形態では、トンネル天井面研掃装置１０は、当該トンネル天井面研掃装置１０の駆動を制御するコントロール系統を集約した制御盤２０と接続する、乾式研掃機３０や移動レール部１８等の各種の装置や機器をモジュール化することによって、特開２０１７−４０１０３号公報に記載の天井面研掃装置の主要部分の構成を保持したまま、ボックスカルバート型のトンネルの大きさや形状、使用目的等に応じて、乾式研掃機３０や移動レール部１８等を、異なる規格の駆動機構によるものと入れ替えたり、架台（ベースフレーム部）を昇降させる昇降装置の要・不要を判断したり、その他の必要な装置を新たに加えたりすることなどを容易にして、様々な種類や形状のボックスカルバート型のトンネルにも適用可能となるように、設計の自由度を向上させることができるようにする機能を備えている。
【００１９】
そして、本第１実施形態のトンネル天井面研掃装置１０は、ボックスカルバート型のトンネル５０の天井面５３として、例えば放流渠の天井面を、乾式研掃機３０を用いて研掃するための研掃装置であって、トンネル５０内を移動可能なベースフレーム部１１と、ベースフレーム部１１の上面部に取り付けられた移動レール部１８に沿って、トンネル５０の延設方向とこれに直交する横幅方向に移動可能な乾式研掃機３０と、少なくとも乾式研掃機３０の駆動、及び移動レール部１８に沿った乾式研掃機３０の移動を制御する制御盤２０とを含んで構成されている。制御盤２０と、乾式研掃機３０及び移動レール部１８との間に介在して、制御盤２０と接続された、複数の接続口を備える親中継器２１が設けられている。両側の端部にコネクター２３を備えるコントロールケーブル２２を介して、親中継器２１と、乾式研掃機３０及び移動レール部１８に設けられた子中継器２５とを各々接続することにより、制御盤２０に接続された手元コントローラ２４によって、乾式研掃機３０の駆動及び移動が制御可能となっている。
【００２０】
また、本第１実施形態では、トンネル天井面研掃装置１０は、図２に示すように、ベースフレーム部１１が、矩形の平面形状を備えており、移動レール部１８は、左右方向レール部材１８ａ及び前後方向レール部材１８ｂからなり、乾式研掃機３０は、ベースフレーム部１１の矩形の平面形状の長辺方向Ｘ及び短辺方向Ｙに移動可能に設けられている。
【００２１】
本第１実施形態のトンネル天井面研掃装置１０によって天井面５３が研掃される、ボックスカルバート型のトンネル５０による放流渠は、例えば現場打ちコンクリートやプレキャストコンクリートによる公知の工法を用いて形成された、横幅が例えば２０００〜３０００ｍｍ程度、高さが例えば２５００〜３５００ｍｍ程度の大きさの中空の矩形断面形状を有するトンネルとなっている。
【００２２】
本実施形態では、トンネル天井面研掃装置１０を構成するベースフレーム部１１は、例えば溝形鋼や山形鋼等を組み付けることにより形成され、例えば左右方向Ｙの幅が１５００〜２５００ｍｍ程度、前後方向Ｘの長さが２０００〜３０００ｍｍ程度、高さが１５００〜４０００ｍｍ程度の大きさの、直方体形状の中空枠体として構成されている。また、ベースフレーム部１１は、本実施形態では、下面側に戸車部材１９が取り付けられた下段ベースプレート１１ａと、上段ベースフレーム部１１ｂとからなる、２段構造を備えている。これらの下段ベースプレート１１ａと上段ベースフレーム部１１ｂは、下段ベースプレート１１ａの左右両側部に垂直に立設された各３本の支柱１１ｃにより連結されて構成されている。左右各３本の支柱１１ｃは、図１に示すように、ベースフレーム部１１の左右両側部において、上段ベースフレーム部１１ｂと下段ベースプレート１１ａの前端部（図１の左端部側）と後端部（図１の右端部）及び前後方向中間部にそれぞれ配置されている。さらにベースフレーム部１１は、その両側に立設された３本の支柱１１ｃ同士が、斜めに配置された計４本の補強材１１ｄで連結されてトラス構造が構成されていることにより、ベースフレーム部１１の全体が補強されている。
【００２３】
また、ベースフレーム部１１は、これの下端部に取り付けられた戸車部材１９を介して、トンネル５０の底面部に敷設されたガイドレール５７に沿って、手動により又はウィンチ等による牽引手段によって、或いはモータ等の駆動源による自走によって、トンネル５０の延設方向Ｘに移動するようになっていると共に、トンネル５０の延設方向Ｘの各々の研掃箇所に固定された状態で、研掃作業を行えるようになっている。また、ベースフレーム部１１には、トンネルの側壁面に向けて進退する油圧ジャッキ等からなる固定手段（図示せず）が設けられており、例えば油圧ジャッキを両側に張り出させてトンネルの内壁面を押圧することによって、ベースフレーム部１１を、トンネル５０内における各々の研掃箇所において固定できるようになっている。
【００２４】
ベースフレーム部１１の上面部に取り付けられた移動レール部１８は、特開２０１７−４０１０３号公報に記載の天井面研掃装置に設けられた移動レール部と同様の構成を備えている。すなわち、移動レール部１８は、図２に示すように、乾式研掃機３０を横幅方向である左右方向Ｙに移動させる左右方向レール部材１８ａと、乾式研掃機３０をトンネルの延設方向である前後方向Ｘに移動させる前後方向レール部材１８ｂとを含んで構成されている。左右方向レール部材１８ａは、上段ベースフレーム部１１ｂを形成する一対の端部溝形鋼１１ｅ及び中間部溝形鋼１１ｆの上端面に敷設されて、上段ベースフレーム部１１ｂの幅方向に平行に延設して３列に設けられている。左右方向レール部材１８ａの上には、前後方向レール部材１８ｂを敷設した横行フレーム部４６が、横幅方向（左右方向）Ｙに走行移動可能に載置されている。
【００２５】
横行フレーム部４６は、図２に示すように、例えば溝形鋼や山形鋼等を組み付けることにより形成され、例えば左右方向Ｙの幅が１５００〜２８００ｍｍ程度、前後方向Ｘの長さが上段ベースフレーム部１１ｂの長さよりも若干長い、例えば２３００〜３５００ｍｍ程度の大きさの、前後方向Ｘに縦長の矩形の平面形状を備えている。横行フレーム部４６を形成する、左右一対の長辺部分に配置された長辺部溝形鋼４６ａの上端面には、前後方向レール部材１８ｂが各々敷設されている。前後方向レール部材１８ｂの上には、乾式研掃機３０が、前後方向Ｘに走行移動可能に載置されている。
【００２６】
また、横行フレーム部４６には、当該横行フレーム部４６を上段ベースフレーム部１１ｂの上面部に敷設された左右方向レール部材１８ａに沿って走行移動させるための、走行車輪（図示せず）や走行駆動装置（図示せず）が取り付けられている。走行駆動装置は、移動レール部１８の横行フレーム部４６に取り付けられた子中継器２５と接続している。移動レール部１８は、本実施形態では、左右方向レール部材１８ａ及び前後方向レール部材１８ｂの他、横行フレーム部４６や、走行車輪、走行駆動装置等を含んで構成されている。
【００２７】
移動レール部１８によって、上段ベースフレーム部１１ｂの長辺方向である前後方向Ｘ及び短辺方向である左右方向Ｙに移動可能に設けられた乾式研掃機３０は、特開２０１７−４０１０３号公報に記載の天井面研掃装置に設けられた乾式研掃機と同様の構成を備えている。すなわち、乾式研掃機３０は、図３（ａ）〜（ｃ）に示すように、走行基台部３１と、走行基台部３１との間にロードセル３２を介在させて走行基台部３１の上方に配置された中間プレート部３３と、中間プレート部３３との間にエアシリンダー３４を介在させて中間プレート部３３のさらに上方に配置された研掃機取付けプレート３５と、研掃機取付けプレート３５に支持されて取り付けられた研掃機本体３６とを含んで構成される。走行基台部３１の４箇所の角部分から上方に立設して、ガイドシャフト３７が設けられており、これらのガイドシャフト３７に、研掃機取付けプレート３５の４箇所の角部分に設けられたリニアブッシュ３８を各々装着することによって、これらのガイドシャフト３７やリニアブッシュ３８にガイドさせて、研掃機取付けプレート３５を、エアシリンダー３４の伸縮に伴って、安定した状態で上下に昇降させることができるようになっている。
【００２８】
研掃機本体３６は、コンクリートの床面等を研掃して平坦な作業面を形成することが可能な、公知の種々の研削機に、適宜改良を加えることによって用いることができる。このような研削機として、例えば商品名「新型トルネード」（ＣＲＴ株式会社製）を好ましく用いることができる。研掃機本体３６は、切削ディスク３６ａや、吸引集塵装置３６ｂや、駆動モータ３６ｃ等を備えている。また、切削ディスク３６ａの周囲を囲むようにして、可撓性を備えるヘラ部材やブラシ状部材等からなる飛散防止部材（図示せず）が設けられている。これによって、切削ディスク３６ａを上向きにした状態で、ボックスカルバート型のトンネル５０の天井面５３に押し付けて研削する際に生じる粉塵が、研掃機本体３６の外に漏れ出るのを、効果的に回避することが可能になる。研掃機本体３６に接続して、排出管４９（図１参照）が設けられている。
【００２９】
乾式研掃機３０の走行基台部３１には、横行フレーム部４６の長辺部溝形鋼４６ａの上端面に敷設された前後方向レール部材１８ｂに沿って乾式研掃機３０を走行移動させるための、走行車輪３１ａや走行駆動装置３１ｂが取り付けられている。これによって、乾式研掃機３０は、横行フレーム部４６の上面部に敷設された前後方向レール部材１８ｂに沿って、上段ベースフレーム部１１ｂの長辺方向Ｘに走行移動できるようになっていると共に、横行フレーム部４６を上段ベースフレーム部１１ｂの上面部に敷設された左右方向レール部材１８ａに沿って走行移動させることで、上段ベースフレーム部１１ｂの短辺方向Ｙにも移動できるようになっている。
【００３０】
乾式研掃機３０の中間プレート部３３と研掃機取付けプレート３５との間に介在して伸縮可能に配置されたエアシリンダー３４は、研掃機取付けプレート３５の前部と後部に各々取り付けられており、走行基台部３１と中間プレート部３３との間に介在するロードセル３２によって計測される、研掃機本体３６によるボックスカルバート型のトンネル５０の天井面５３への押付け力が、例えば０．３〜０．９Ｍｐａとなるように、研掃機取付けプレート３５を昇降させた状態で、研掃機本体３６の切削ディスク３６ａを天井面５３に押し付けることができるようになっている。研掃機取付けプレート３５を昇降させるシリンダー部材として、エアシリンダー３４を用いたことにより、トンネル５０の天井面５３に存在する例えば±４０ｍｍ程度の凹凸に追随させて、これらの凹凸を吸収することが可能になる。
【００３１】
本第１実施形態では、乾式研掃機３０の走行駆動装置３１ｂや、研掃機本体３６の切削ディスク３６ａや、吸引集塵装置３６ｂや、駆動モータ３６ｃ等は、例えば各種の配線類を介して、走行基台部３１に取り付けられた子中継器２５と接続している。
【００３２】
本第１実施形態では、少なくとも乾式研掃機３０の駆動、及び移動レール部１８に沿った乾式研掃機３０の移動を制御する制御盤２０は、箱形形状を有しており、図１に示すように、好ましくはベースフレーム部１１に連結して設けられた、補助台車５５に載置されて設置されている。制御盤２０の内部には、例えば乾式研掃機３０の駆動や、移動レール部１８の移動を制御する複数のシーケンス回路（図示せず）を組み込まれた、プログラマブルコントローラ（図示せず）が格納されている。
【００３３】
プログラマブルコントローラに組み込まれる複数のシーケンス回路は、行われる制御が相互に影響を及ぼし合わぬよう、例えば乾式研掃機３０の駆動の制御や、移動レール部１８の移動の制御といった制御単位毎に独立して設計された回路となっている。また、本第１実施形態では、シーケンス回路に、乾式研掃機３０や移動レール部１８に対して行われる仕様や規格の変更や、新たに追加されるその他の機能を備える機器にも対応できるように、各種の仕様や機能に対応したシーケンス回路が、予め備えられている。
【００３４】
本実施形態において、制御盤２０と、乾式研掃機３０及び移動レール部１８との間に介在して設けられた親中継器２１は、制御盤２０よりもコンパクトな箱形形状を備えており、好ましくはベースフレーム部１１の前後方向Ｘの後端部に配置された支柱１１ｃの下端部に取り付けられて、当該ベースフレーム部１１に設置されている。親中継器２１と制御盤２０とは、接続ケーブル２１ａを介して接続されている。
【００３５】
親中継器２１は、複数の接続口を備えており、これらの接続口は、各々が異なるシーケンス回路と対応している。乾式研掃機３０や移動レール部１８等の機器は、これらの接続口に接続されることによって、若しくは、接続口に接続された乾式研掃機３０や移動レール部１８等の機器からの認識信号応じて、制御盤２０に予め組み込まれた対応するシーケンス回路に接続されるようになっている。本第１実施形態では、親中継器２１は、両側の端部にコネクター２３を備えるコントロールケーブル２２を介して、親中継器２１と、乾式研掃機３０及び移動レール部１８に設けられた子中継器２５とを各々接続することにより、制御盤２０に接続された手元コントローラ２４からの操作によって、乾式研掃機３０の駆動及び移動を制御できるようになっている。
【００３６】
本第１実施形態では、親中継器２１と、乾式研掃機３０や移動レール部１８等の機器に設けられた子中継器２５とを各々接続するコントロールケーブル２２は、両側の端部にコネクター２３を備える公知のケーブルである。コネクター２３は、ピンがそれぞれの動作信号に対応するような位置に来るような形状となっていることにより、親中継器２１に接続される乾式研掃機３０や移動レール部１８等の機器が、これらの機器を制御するシーケンス回路に対応した接続口に、正しく装着されるようになっている。また、コネクター２３は、親中継器２１に接続される全ての機器を通じて共通の仕様とすることにより、親中継器２１のいずれかの接続口に接続したり、乾式研掃機３０や移動レール部１８等の機器に設けられた子中継器２５のいずれに装着した場合でも、装着した機器からの認識信号に応じて、これらの機器に対応するシーケンス回路と接続させることができるようになっていることが好ましい。
【００３７】
本第１実施形態のトンネル天井面研掃装置１０は、制御盤２０に接続された手元コントローラ２４を介した操作によって、乾式研掃機３０の駆動及び移動を制御できるようになっている。手元コントローラ２４は、親中継器２１の接続口と接続することにより、親中継器２１を介して制御盤２０に接続されるようにすることが好ましい。
【００３８】
そして、上述の構成を備える本第１実施形態のトンネル天井面研掃装置１０によれば、例えば特開２０１７−４０１０３号公報に記載の道路トンネル用の天井面研掃装置の要部を保持したまま、その他の種々のボックスカルバート型のトンネルにも適用可能となるように、設計の自由度を向上させることが可能になる。
【００３９】
すなわち、本第１実施形態のトンネル天井面研掃装置１０によれば、少なくとも乾式研掃機３０の駆動、及び該乾式研掃機３０の移動レール部１８に沿った移動を制御する制御盤２０と、この制御盤２０と乾式研掃機３０及び移動レール部１８との間に介在して設けられた、複数の接続口を有する親中継器２１とを備えており、両側の端部にコネクター２３を有するコントロールケーブル２２を介して、親中継器２１と、乾式研掃機３０及び移動レール部１８に設けられた子中継器とを各々接続することにより、制御盤２０に接続された手元コントローラ２４によって、乾式研掃機３０の駆動及び移動を制御可能となっている。
【００４０】
これによって、本実施形態によれば、例えば放流渠を形成するボックスカルバート型のトンネル５０の大きさや形状等の変化に応じて、異なる規格の乾式研掃機３０や移動レール部１８を用いる必要が生じた場合でも、コントロールケーブル２２のコネクター２３を着脱することで、親中継器２１を介して制御盤２０と、モジュール化された異なる規格の乾式研掃機３０や移動レール部１８に設けられた子中継器２５とを、接続し直すだけの簡単な作業によって、制御盤２０に接続された手元コントローラ２４からの操作で乾式研掃機３０の駆動及び移動を容易に制御できるようにすることが可能になる。またこれによって、放流渠以外のその他の様々な種類や形状のボックスカルバート型のトンネル５０に対しても、その使用目的や形状等に応じて、架台を昇降させる昇降装置の要・不要を判断して昇降装置が必要な場合には、コントロールケーブル２２をモジュール化された昇降装置の子中継器２５に接続したり、その他の装置を新たに加える必要がある場合には、コントロールケーブル２２をモジュール化されたその他の装置の子中継器２５に接続したりするだけの簡単な作業によって、手元コントローラ２４からの操作によりこれらの機器を容易に制御できるようになるので、ボックスカルバート型のトンネルの大きさや形状、使用目的等に応じた、トンネル天井面研掃装置１０の設計の自由度を、効果的に向上させることが可能になる。
【００４１】
図４は、本発明の第２実施形態に係るトンネル天井面研掃装置１０’の略示側面図である。図４に示す本第２実施形態のトンネル天井面研掃装置１０’は、ベースフレーム部１１’が、昇降装置４０、４１により昇降する昇降フレーム部１２、１３を備えている点、及びベースフレーム部１１’が移動台車５１に載置されている点以外は、上記第１実施形態のトンネル天井面研掃装置１０と、略同様の構成を備えている。なお、図４に示す本第２実施形態のトンネル天井面研掃装置１０’に関して、上記の第１実施形態のトンネル天井面研掃装置１０と同様の構成部分については、同一の符号を付してその説明を省略している。特に言及しない構成部分については、上記の第１実施形態のトンネル天井面研掃装置１０に関する説明が適宜適用される。
【００４２】
本第２実施形態のトンネル天井面研掃装置１０’は、例えばボックスカルバート型の鉄道トンネル５０’の天井面５３’を、乾式研掃機３０を用いて研掃するための装置となっている。本第２実施形態のトンネル天井面研掃装置１０’は、図４に示すように、ベースフレーム部１１’が移動台車５１に搭載されており、トンネルの底面部に敷設されたレール部５７’に沿って移動台車５１が走行することにより、トンネルの延設方向Ｘに移動できるようになっている。またベースフレーム部１１’は、下段ベース部１５ａ及び上段ベース部１５ｂとからなる、２段構造のベース部１５と、ベース部１５に支持させて、昇降装置４０，４１により昇降可能に設けられた昇降フレーム部１２，１３とを備えており、両側の端部にコネクター２３を備えるコントロールケーブル２２を介して、親中継器２１と、昇降装置４０，４１に設けられたと子中継器２５とを接続することにより、制御盤２０に接続された手元コントローラ２４によって、昇降装置４０，４１による昇降フレーム部１２，１３の昇降を制御可能としている。
【００４３】
また、本第２実施形態では、ベースフレーム部１１’のベース部１５は、特開２０１７−４０１０３号公報に記載の天井面研掃装置の、下段ベースフレーム部と下段ベースフレーム部とからなるベースフレーム部と同様の構成を備えており、昇降フレーム部１２，１３は、特開２０１７−４０１０３号公報に記載の天井面研掃装置の下段昇降フレーム部及び上段昇降フレーム部と同様の構成を備えており、昇降装置４０，４１は、特開２０１７−４０１０３号公報に記載の天井面研掃装置の、下段昇降機や前部の上段昇降機や後部の上段昇降機と同様の構成を備えている。
【００４４】
本第２実施形態では、ボックスカルバート型の鉄道トンネル５０’は、上述の第１実施形態の放流渠を形成するボックスカルバート型のトンネル５０と比較して、その断面形状が縦横に大きくなっており、また鉄道トンネルの場合、車両限界が定められているため、乾式研掃機３０を天井面５３’に近接させたまま、トンネル天井面研掃装置１０’をレール部５７’に沿って移動させることが困難である。このようなことから、本第２実施形態では、トンネル天井面研掃装置１０’は、研掃箇所において、ベースフレーム部１１’の長辺方向Ｘ及び短辺方向Ｙに乾式研掃機３０を移動させる移動レール部１８を昇降可能にする、昇降装置４０，４１を備えるように設計する必要があるが、本第２実施形態のトンネル天井面研掃装置１０’は、上述のように、コントロールケーブル２２をモジュール化された当該昇降装置４０，４１の子中継器２５に接続するだけの簡単な作業によって、ボックスカルバート型の鉄道トンネル５０’の天井面を効率良く研掃できるように、容易に変更することが可能になる。また、トンネル天井面研掃装置１０’にその他の装置を新たに加える必要がある場合でも、コントロールケーブル２２をモジュール化されたその他の装置の子中継器２５に接続するだけの簡単な作業によって、ボックスカルバート型のトンネルの大きさや形状、使用目的等に応じて、鉄道トンネル５０’以外のボックスカルバート型のトンネルにも適用できるように、トンネル天井面研掃装置１０’を容易に設計したり変更したりすることが可能になる。
【００４５】
なお、本発明は上記実施形態に限定されることなく種々の変更が可能である。例えば、手元コントローラは、親中継器を介して制御盤に接続されている必要は必ずしも無く、制御盤に直接に接続して用いることもできる。また、制御盤は、ベースフレーム部やベースフレーム部を搭載した移動台車に連結された補助台車に設置する必要は必ずしも無く、ベースフレーム部や移動台車に設置することもできる。トンネル天井面研掃装置は、放流渠や鉄道トンネル以外のトンネルと形成する、その他の種々のボックスカルバート型のトンネルの天井面を研掃する装置として用いることもできる。
【符号の説明】
【００４６】
１０、１０’  トンネル天井面研掃装置
１１  ベースフレーム部
１２、１３  昇降フレーム部
１５  ベース部
１８  移動レール部
１８ａ  左右方向レール部材
１８ｂ  前後方向レール部材
１９  戸車部材
２０  制御盤
２１  親中継器
２１ａ  接続ケーブル
２２  コントロールケーブル
２３  コネクター
２４  手元コントローラ
２５  子中継器
３０  乾式研掃機
３１  走行基台部
３６  研掃機本体
４０、４１  昇降装置
４６  横行フレーム部
５０  トンネル
５０’  鉄道トンネル
５１  移動台車
５３、５３’  天井面
５５  補助台車
５７  ガイドレール
５７’  レール部
Ｘ    延設方向（長辺方向、前後方向）
Ｙ    横幅方向（短辺方向、左右方向）
【図１】
2020159062.tif 000003
【図２】
2020159062.tif 000004
【図３】
2020159062.tif 000005
【図４】
2020159062.tif 000006